(57)【要約】  セルラー通信システムにおけるアクセスターミナル(AT)が、トラフィック状態とドーマント状態との間の遷移状態であるアクティブホールドホールド(AH)状態で動作するように構成される。ATは、AH状態にいる間は、その送信チェーンに低い負荷サイクルで電力を供給し、バッテリー電力を節減する。通信のロバスト性を改善するために、無線ネットワークは、ATはトラフィック状態でのATの電力制御に比べて、より高いレベルで電力制御する。トラフィック状態からAH状態への遷移は、リバースリンクのインアクティビティが短時間継続した後、開始される。ATは、フォワードリンクペイロードデータを受け取りながらAH状態を保持する。AH状態でのリバースリンクペイロードパケットの送信が、トラフィック状態への遷移を開始する。インアクティビティが長期間継続すると、AH状態からドーマント状態への遷移が開始される。【選択図】    図４
2009528003.tif 000002
【特許請求の範囲】
【請求項１】
無線ネットワークの無線基地局と通信する無線アクセスターミナルであって、
前記無線アクセスターミナルは、
前記無線基地局からフォワードリンク送信を受け取るように構成された受信機と、
前記無線基地局にリバースリンク送信を送るように構成された送信機と、
プログラムコードを格納しているメモリと、
前記受信機、前記送信機および前記メモリと結合されたコントローラと、
を備え、
前記コントローラは、
前記プログラムコードを実行することによって、前記アクセスターミナルに、
リバースリンクトラフィックが第１の所定時間期間存在しないことに応じて、トラフィック状態からアクティブホールド状態への遷移を開始させ、
リバースリンクトラフィックの存在に応じてアクティブホールド状態からトラフィック状態への遷移を開始させ、
フォワードリンクトラフィックおよびリバースリンクトラフィックが第２の所定時間期間存在しないことに応じてアクティブホールド状態からドーマント状態への遷移を開始させ、
リバースリンクトラフィックの存在に応じてドーマント状態からトラフィック状態への遷移を開始させ、
前記アクティブホールド状態への遷移後に、フォワードリンクトラフィックが存在しかつ同時にリバースリンクトラフィックが存在しない期間、前記アクティブホールド状態を保持させ、
前記アクティブホールド状態において、前記送信機の少なくとも1つのコンポーネントを、その負荷サイクルが前記アクティブホールド状態の25パーセント未満となるように電力オフさせる。
【請求項２】
前記コントローラは、前記プログラムコードの実行によって、前記無線アクセスターミナルに、前記送信機の前記少なくとも１つのコンポーネントを少なくとも前記トラフィック状態の大部分の時間パワーオンさせるように構成された、請求項1に記載の無線アクセスターミナル。
【請求項３】
前記コントローラは、さらに、前記プログラムコードの実行によって、前記無線アクセスターミナルに、前記アクティブホールド状態において第１の頻度で前記無線基地局にフィードバックを供給させ、かつ、前記トラフィック状態において前記第１の頻度より大きい第２の頻度で前記無線基地局にフィードバックを供給させるように構成された、請求項2に記載の無線アクセスターミナル。
【請求項４】
前記第２の頻度は前記第１の頻度の2倍である、請求項3に記載の無線アクセスターミナル。
【請求項５】
前記第２の頻度は前記第１の頻度の4倍である、請求項3に記載の無線アクセスターミナル。
【請求項６】
前記フィードバックはリバースリンクパイロットおよびフォワードリンクレート制御を備える、請求項3に記載の無線アクセスターミナル。
【請求項７】
前記コントローラは、さらに、前記プログラムコードの実行によって、前記無線アクセスターミナルに、前記アクティブホールド状態において８スロットに一度、前記無線基地局にフィードバックを供給させ、かつ、前記トラフィック状態において4スロットに一度、前記無線基地局にフィードバックを供給させるように構成された、請求項2に記載の無線アクセスターミナル。
【請求項８】
前記コントローラは、さらに、前記プログラムコードの実行によって、前記無線アクセスターミナルに、前記アクティブホールド状態において16スロットに一度、前記無線基地局にフィードバックを供給させ、かつ、前記トラフィック状態において4スロットに一度、前記無線基地局にフィードバックを供給させるように構成された、請求項2に記載の無線アクセスターミナル。
【請求項９】
前記コントローラは、さらに、前記プログラムコードの実行によって、前記無線アクセスターミナルに、フォワードリンクトラフィックが存在しかつ同時にリバースリンクトラフィックが存在しないことに応じて、前記ドーマント状態から前記アクティブホールド状態への遷移を開始させるように構成された、請求項1に記載の無線アクセスターミナル。
【請求項１０】
命令を備えた機械可読媒体であって、
無線ネットワークの無線基地局と通信するための無線アクセスターミナルの少なくとも１つのプロセッサによって前記命令が実行されたとき、前記命令は、前記無線アクセスターミナルに、
リバースリンクトラフィックが第１の所定時間期間存在しないことに応じて、トラフィック状態からアクティブホールド状態への遷移を開始する動作と、
リバースリンクトラフィックの存在に応じてアクティブホールド状態からトラフィック状態への遷移を開始する動作と、
フォワードリンクトラフィックおよびリバースリンクトラフィックが第２の所定時間期間存在しないことに応じてアクティブホールド状態からドーマント状態への遷移を開始する動作と、
リバースリンクトラフィックの存在に応じてドーマント状態からトラフィック状態への遷移を開始する動作と、
前記アクティブホールド状態への遷移後に、フォワードリンクトラフィックが存在しかつ同時にリバースリンクトラフィックが存在しない期間、前記アクティブホールド状態を保持する動作と、
前記アクティブホールド状態において、前記送信機の少なくとも1つのコンポーネントを、その負荷サイクルが前記アクティブホールド状態の25パーセント未満となるように電力オフする動作と、
を備える動作を実行させる。
【請求項１１】
前記命令は、それが前記少なくとも1つのプロセッサによって実行されたとき、さらに、前記無線アクセスターミナルに、
前記送信機の前記少なくとも１つのコンポーネントを少なくとも前記トラフィック状態の大部分の時間、パワーオンする動作を実行させる、
請求項10に記載の機械可読媒体。
【請求項１２】
前記命令は、それが前記少なくとも1つのプロセッサによって実行されたとき、さらに、前記無線アクセスターミナルに、
前記アクティブホールド状態において第１の頻度で前記無線基地局にフィードバックを供給し、
前記トラフィック状態において前記第１の頻度より大きい第２の頻度で前記無線基地局にフィードバックを供給する動作を実行させる、
請求項11に記載の機械可読媒体。
【請求項１３】
前記フィードバックはリバースリンクパイロットおよびレート制御を備える、請求項12に記載の機械可読媒体。
【請求項１４】
前記命令は、それが前記少なくとも1つのプロセッサによって実行されたとき、さらに、前記無線アクセスターミナルに、
フォワードリンクトラフィックが存在しかつ同時にリバースリンクトラフィックが存在しないことに応じて、前記ドーマント状態から前記アクティブホールド状態への遷移を開始する動作を実行させる、
請求項10に記載の機械可読媒体。
【請求項１５】
無線ネットワークの無線基地局と通信する無線アクセスターミナルであって、
前記無線アクセスターミナルは、
前記無線基地局からフォワードリンク送信を受け取るための手段と、
前記無線基地局にリバースリンク送信を送るための手段と、
プログラムコードを格納するための手段と、
前記アクセスターミナルに、
リバースリンクトラフィックが第１の所定時間期間存在しないことに応じて、トラフィック状態からアクティブホールド状態への遷移を開始するステップと、
リバースリンクトラフィックの存在に応じてアクティブホールド状態からトラフィック状態への遷移を開始するステップと、
フォワードリンクトラフィックおよびリバースリンクトラフィックが少なくとも第２の所定時間期間存在しないことに応じてアクティブホールド状態からドーマント状態への遷移を開始するステップと、
リバースリンクトラフィックの存在に応じてドーマント状態からトラフィック状態への遷移を開始するステップと、
前記アクティブホールド状態への遷移後に、フォワードリンクトラフィックが存在しかつ同時にリバースリンクトラフィックが存在しない期間、前記アクティブホールド状態を保持するステップと、
前記送信機の少なくとも1つのコンポーネントを、その負荷サイクルが前記アクティブホールド状態の25パーセント未満となるように電力オフするステップと、
を備えるステップを実行させるように、前記プログラムコードを実行するための手段と、
を備える。
【請求項１６】
無線ネットワークの無線基地局と通信する無線アクセスターミナルの動作方法であって、
前記方法は、
前記無線アクセスターミナルと前記無線基地局との間のリバースリンクトラフィックが第１の所定時間期間存在しないことに応じて、トラフィック状態からアクティブホールド状態への遷移を開始することと、
前記無線アクセスターミナルと前記無線基地局との間のリバースリンクトラフィックの存在に応じてアクティブホールド状態からトラフィック状態への遷移を開始するステップと、
前記無線アクセスターミナルと前記無線基地局との間のフォワードリンクトラフィックおよびリバースリンクトラフィックが少なくとも第２の所定時間期間存在しないことに応じてアクティブホールド状態からドーマント状態への遷移を開始することと、
前記無線アクセスターミナルと前記無線基地局との間のリバースリンクトラフィックの存在に応じてドーマント状態からトラフィック状態への遷移を開始することと、
前記アクティブホールド状態への遷移後に、前記無線アクセスターミナルと前記無線基地局との間のフォワードリンクトラフィックが存在しかつ同時にリバースリンクトラフィックが存在しない期間、前記アクティブホールド状態を保持することと、
前記アクティブホールド状態において、前記アクセスターミナルの送信チェーンの少なくとも1つのコンポーネントを、その負荷サイクルが前記アクティブホールド状態での予め決められた負荷サイクル閾値よりも小さくなるように電力オフすることと、
を備える。
【請求項１７】
前記予め決められた負荷サイクル閾値は25パーセントである、請求項16に記載の方法。
【請求項１８】
前記無線アクセスターミナルに、前記送信機の前記少なくとも１つのコンポーネントを少なくとも前記トラフィック状態の大部分の時間、パワーオンさせることをさらに備えた、請求項17に記載の方法。
【請求項１９】
前記アクティブホールド状態において第１の頻度で前記アクセスターミナルから前記無線基地局にフィードバックを供給することと、
前記トラフィック状態において前記第１の頻度より大きい第２の頻度で前記アクセスターミナルから前記無線基地局にフィードバックを供給することと、
をさらに備えた、請求項18に記載の方法。
【請求項２０】
前記第２の頻度は前記第１の頻度の少なくとも２倍である、請求項19に記載の方法。
【請求項２１】
前記第２の頻度は前記第１の頻度の少なくとも４倍である、請求項19に記載の方法。
【請求項２２】
前記第２の頻度は約150ヘルツであり、前記第１の頻度は約75ヘルツである、請求項19に記載の方法。
【請求項２３】
前記第２の頻度は約150ヘルツであり、前記第１の頻度は約37.5ヘルツである、請求項19に記載の方法。
【請求項２４】
前記フィードバックはリバースリンクパイロットおよびレート制御を備える、請求項19に記載の方法。
【請求項２５】
前記フィードバックはデータレート制御(DRC)を備える、請求項19に記載の方法。
【請求項２６】
前記フィードバックはデータソース制御(DSC)を備える、請求項19に記載の方法。
【請求項２７】
前記アクティブホールド状態において8スロットに一度、前記無線アクセスターミナルから前記無線基地局にフィードバックを供給することと、
前記トラフィック状態において4スロットに一度、前記無線アクセスターミナルから前記無線基地局にフィードバックを供給することと、
をさらに備えた、請求項18に記載の方法。
【請求項２８】
前記アクティブホールド状態において１６スロットに一度、前記無線アクセスターミナルから前記無線基地局にフィードバックを供給することと、
前記トラフィック状態において4スロットに一度、前記無線アクセスターミナルから前記無線基地局にフィードバックを供給することと、
をさらに備えた、請求項18に記載の方法。
【請求項２９】
前記無線アクセスターミナルに、フォワードリンクトラフィックが存在しかつ同時にリバースリンクトラフィックが存在しないことに応じて、前記ドーマント状態から前記アクティブホールド状態への遷移を開始させることをさらに備えた、請求項17に記載の方法。
【請求項３０】
前記トラフィック状態からアクティブホールド状態への遷移を開始するステップは、予備のリバースレート指標(RRI)符号語を無線基地局に送ることを備えた、請求項17に記載の方法。
【請求項３１】
前記無線基地局から前記予備のRRI符号語の肯定応答を受け取ることと、
前記肯定応答に応じて、前記無線アクセスターミナルを前記アクティブホールド状態に遷移することと、
をさらに備えた、請求項30に記載の方法。
【請求項３２】
無線ネットワークの無線基地局とフォワードリンクおよびリバースリンクを介して通信する無線アクセスターミナルの動作方法であって、
前記方法は、
前記無線アクセスターミナルと前記無線基地局との間のフォワードおよびリバースリンクのトラフィックインアクティビティの期間に応じて、前記無線アクセスターミナルをドーマント状態に入れるステップと、
前記リバースリンクのトラフィックアクティビティに応じて前記無線アクセスターミナルをトラフィック状態に入れるステップと、
前記リバースリンクのトラフィックインアクティビティ期間に応じて、前記無線アクセスターミナルをアクティブホールド状態に入れるステップと、
を備え、
前記無線アクセスターミナルを前記にアクティブホールド状態に入れる前記ステップは、前記フォワードリンクのトラフィックアクティビティにかかわらず実行され、
前記無線アクセスターミナルは、前記アクティブホールド状態において、前記無線アクセスターミナルの送信チェーンの少なくとも一部の電力を25パーセント未満の負荷サイクルでオン・オフする。
【請求項３３】
無線ネットワークにおける無線基地局であって、
前記無線基地局は、
リバースリンク上で無線アクセスターミナルからデータを受信するように構成された受信機と、
フォワードリンク上で前記無線アクセスターミナルにデータを送信するように構成された送信機と、
前記受信機および前記送信機に結合されたプロセッサと、
を備え、
前記プロセッサは、前記無線基地局に、
前記無線アクセスターミナルからのアクティブホールド状態に入るための要求を許可させるステップと、
前記無線アクセスターミナルが前記アクティブホールド状態にいる間、フォワードリンクトラフィックを送信させるステップと、
前記トラフィック状態においてリバースリンクトラフィックを受信させるステップと
を備え、
前記無線アクセスターミナルは、前記リバースリンクのトラフィックインアクティビティの期間に応じて前記要求を生成し、また、前記アクティブホールド状態における前記フォワードリンク用の更新頻度をトラフィック状態に比較して減少する。
【請求項３４】
前記プロセッサは、さらに、前記無線基地局に、前記無線アクセスターミナルの状態に依存して前記無線アクセスターミナルの電力制御設定ポイントを変化させるように構成され、前記アクティブホールド状態における前記電力制御設定ポイントは、同じ信号対干渉および雑音比(SINR)で前記トラフィック状態よりも高く設定される、請求項33に記載の無線基地局。
【請求項３５】
前記プロセッサは、さらに、前記無線アクセスターミナルが前記アクティブホールド状態にあり、かつ前記電力制御設定ポイントが予め決められた電力リミット未満であるとき、前記無線基地局に、前記無線アクセスターミナルの電力制御設定ポイントを増加させるように構成された、請求項33に記載の無線基地局。
【請求項３６】
前記プロセッサは、さらに、前記無線基地局に、前記フィードバック更新頻度に依存して前記無線アクセスターミナルの電力制御設定ポイントを変化させるように構成された、請求項33に記載の無線基地局。
【請求項３７】
無線ネットワークにおける無線基地局であって、
前記無線基地局は、
リバースリンク上で無線アクセスターミナルからデータを受け取るための手段と、
フォワードリンク上で前記無線アクセスターミナルにデータを送信するための手段と、
前記受信機および前記送信機に結合された、処理のための制御手段と、
を備え、
前記制御手段は、前記無線基地局に、
前記無線アクセスターミナルからのアクティブホールド状態に入るための要求を許可させるステップと、
前記無線アクセスターミナルが前記アクティブホールド状態にいる間、フォワードリンクトラフィックを送信させるステップと、
を含むステップを実行させ、
前記無線アクセスターミナルは、前記リバースリンクのトラフィックインアクティビティの期間に応じて前記要求を生成し、かつ、前記アクティブホールド状態における前記フォワードリンク用の更新頻度をトラフィック状態に比較して減少する。
【請求項３８】
無線アクセスターミナルを制御するための無線ネットワークにおける無線基地局の動作方法であって、
前記方法は、
前記無線アクセスターミナルからのアクティブホールド状態に入るための要求を許可することと、
前記無線アクセスターミナルが前記アクティブホールド状態にいる間、フォワードリンクトラフィックを送信することと、
を備え、
前記無線アクセスターミナルは、前記無線アクセスターミナルと前記無線基地局との間の前記リバースリンクのトラフィックインアクティビティの期間に応じて前記要求を生成し、かつ、前記アクティブホールド状態において、前記無線アクセスターミナルと前記無線基地局との間のフォワードリンク用のフィードバックを第１の頻度で供給し、かつ、トラフィック状態における前記フォワードリンク用のフィードバックを、前記第１の頻度よりも大きい第２の頻度で供給する。
【請求項３９】
命令を備えた機械可読媒体であって、
前記命令は、それが無線ネットワークの無線基地局の少なくとも1つのプロセッサによって実行されたとき、前記無線基地局に、
前記無線アクセスターミナルからのアクティブホールド状態に入るための要求を許可する動作と、
前記無線アクセスターミナルが前記アクティブホールド状態にいる間、フォワードリンクトラフィック上で送信する動作と、
を備えた動作を実行させ、
前記無線アクセスターミナルは、前記無線アクセスターミナルと前記無線基地局との間の前記リバースリンクのトラフィックインアクティビティの期間に応じて前記要求を生成し、かつ、前記アクティブホールド状態において、前記無線アクセスターミナルと前記無線基地局との間のフォワードリンク用のフィードバックを第１の頻度で供給し、かつ、トラフィック状態における前記フォワードリンク用のフィードバックを、前記第１の頻度よりも大きい第２の頻度で供給する。
【発明の詳細な説明】
【米国特許法第１１９条の下での優先権の主張】
【０００１】
この出願は、2006年2月21日に申請された「無線通信方式および方法」と題する米国仮特許出願（出願番号：60/775,443)に基づく優先権を主張し、さらに、2006年2月21日に申請された「DO通信システムおよび方法」と題する米国仮特許出願（出願番号：60/775,693）に基づく優先権を主張する。これらの仮特許出願は、本件出願の譲受人に譲渡され、図、表および請求項のすべてを含めて、あたかもここに完全に述べられるかのように、参照によって明確に組込まれる。
【技術分野】
【０００２】
本発明は一般に遠隔通信に関し、より具体的には、本発明は無線通信システムおよびセルラー通信システムに関する。
【背景技術】
【０００３】
最近の通信システムは、音声及びデータのような様々な適用業務のために、信頼できるデータ伝送の供給が期待されている。P2MP(point-to-multipoint)通信環境において、既知の通信システムは、周波数分割多元接続(FDMA)、時分割多元接続(TDMA)、符号分割多元接続(CDMA)および恐らく他の多重アクセス通信スキームに基づいている。
【０００４】
CDMAシステムは、(1)「二重モード広帯域スペクトラム拡散セルラーシステムのためのTIA/EIA-95移動局−トランシーバ基地局互換性標準」(その向上改訂版A,Bを備えたこの標準は「IS-95標準」と呼ばれる）、(2)「二重モード広帯域スペクトラム拡散セルラー移動局のためのTIA/EIA-98-C推奨最低標準」(「IS-98標準」)、(3)第3世代パートナーシップ・プロジェクト(3GPP)という名称のコンソーシアムによって推進され、「W-CDMA標準」として知られる1つのドキュメントセットで具体化された標準、(4)第3世代パートナーシップ・プロジェクト2(3GPP2)という名称のコンソーシアムによって推進され、「cdma2000スペクトラム拡散方式のためのTR-45.5物理層標準」、「cdma2000スペクトラム拡散方式のためのC.S0005−A上部層(層3)信号標準」、そして「TIA/EIA/IS-856 cdma2000高速パケットデータ・エアーインターフェース仕様」(総合して「cdma2000標準」)を含む1つのドキュメントセットで具体化された標準、(5)その改訂版0/A/Bを備えた1xEV-DO標準(時には単に「DO」と呼ばれる)、そして(6)その他のある標準、のような1つ以上のCDMA標準をサポートするようにデザインされている。上に明示的にリストされた標準は、付属書類、付録および他のアタッチメントを含めて、あたかも完全にここに述べられるかのように参照によって組込まれる。
【０００５】
データオンリー(data-only)、データ最適化(data-optimized)あるいは「DO」セルラー通信システムは、無線データサービスの絶えず増加する需要を満たすために開発された。その名前が意味するように、DOシステムはデータ伝送(音声伝送に対立するものとして)のために最適化される。また、特にそのようなシステムはダウンリンク・データ伝送のために最適化される。データ最適化システムは、アップリンクデータ伝送やいずれの方向の音声伝送を除外する必要はない。例えばボイス・オーバ・インターネット・プロトコル(VoIP)伝送の場合には、音声もまたデータとして伝送され得ることに注目すべきである。
【０００６】
無線ネットワークでは、通信のために構成されるアクセスターミナルは、トラフィック状態/モード(traffic state/mode)あるいはドーマント状態/モード(dormant state/mode)にある。トラフィック状態では、アクセスターミナルと無線ネットワークとの間の通信のためのエアーリンク資源が無線ネットワークにおいて割り当てられ、また、アクセスターミナルにおいて電力オンしている。アクセスターミナルでのエアーリンク資源は、例えば、フィンガー資源およびチャンネルエレメントを含む。ドーマント状態では、トラフィックチャンネルは取り壊され、また、エアーリンク資源はアクセスターミナルにおいて電力オフされる。従って、これらの資源の動作に必要な電力はドーマント状態の期間は消費されず、アクセスターミナルでのバッテリー寿命が拡張される。アクセスターミナルの他のサブシステムは電力がオフされ、あるいはドーマント状態の大部分の期間、省電力モードに入れられ、アクセスターミナルはその後、無線システムのページングチャンネルを聞くために時々起きて、入ってくるページあるいは通信要求に応答する。このような周期的なページングチャンネルチェックの負荷サイクル(duty cycle)は、スタンバイ電力消費を削減するために、低くされている。
【０００７】
与えられたバッテリー容量に対して、電力消費はアクセスターミナルが充電せずに動作できる時間を決定する。反対に、バッテリー充電までの指定された動作時間については、平均電力消費は必要なバッテリー容量、つまり、バッテリーのサイズおよびコストを決定する。アクセスターミナルの電力消費の削減は、このように極めて重要である。
【０００８】
与えられたアクセスターミナルからの送信は他のアクセスターミナルからの送信に対する干渉であるので、そのような送信の期間および／または電力レベルを縮小することもまた望ましい。
【０００９】
したがって、アクセスターミナルの電力消費および干渉を削減する方法および装置のための技術が必要とされる。また、アクセスターミナルおよびターミナルが通信する無線ネットワークの性能特性を過度に損なうことなく、アクセスターミナルの電力消費および干渉を削減する方法および装置が必要とされる。さらにまた、レガシーのアクセスターミナルとの互換性を同時に維持しながら、また、無線ネットワークのハードウェア変更を最小もしくは変更することなく、これまでに開発されたネットワークをアクセスターミナルの電力消費と干渉を削減するようにアップグレードすることが必要とされる。
【発明の開示】
【概要】
【００１０】
ここに示された実施例は、無線アクセスターミナルにおいてアクティブホールド状態をインプリメントし、また、無線アクセスターミナルと通信するための、方法、装置および機械可読製品を提供することによって、上述のニーズに取り組む。
【００１１】
一実施例では、無線ネットワークの無線基地局と通信するための無線アクセスターミナルは、無線基地局からフォワードリンク送信を受け取るように構成された受信機、無線基地局にリバースリンク送信を送るように構成された送信機、プログラムコードを格納するメモリ、および、受信機、送信機、メモリに結合されたコントローラを含む。コントローラは、無線アクセスターミナルに次のことを行わせるためにプログラムコードを実行するよう構成される。(1)リバースリンクトラフィックが第１の所定の時間期間存在しないことに呼応して、トラフィック状態からアクティブホールド状態への遷移を開始する、(2)リバースリンクトラフィックが存在することに呼応して、アクティブホールド状態からトラフィック状態への遷移を開始する、(3)フォワードリンクトラフィックおよびリバースリンクトラフィックが少なくとも第２の所定の時間期間存在しないことに呼応して、アクティブホールド状態からドーマント状態への遷移を開始する、(4)リバースリンクトラフィックが存在することに呼応して、ドーマント状態からトラフィック状態への推移を開始する、(5)アクティブホールド状態への遷移に入った後、フォワードリンクトラフィックが存在し、かつ同時にリバースリンクトラフィックが存在しない期間（つまり、リバースリンクトラフィックが無いと同時にフォワードリンクトラフィックが存在する期間）、アクティブホールド状態を維持する、そして、(6)送信機の少なくとも1つのコンポーネントの負荷サイクルをアクティブホールド状態で予め決められた閾値よりも少なくするように、アクティブホールド状態で送信機の少なくとも1つのコンポーネントの電力をオフする。いくつかの態様では、閾値は、負荷サイクルの25％である。
【００１２】
一実施例では、機械可読媒体は、そこに埋め込まれた命令を備える。無線ネットワークの無線基地局と通信するための無線アクセスターミナルの少なくとも1つのプロセッサによって命令が実行されるとき、命令は、無線アクセスターミナルに次のことを実行させる。(1)リバースリンクトラフィックが第１の所定の時間期間存在しないことに呼応して、トラフィック状態からアクティブホールド状態への遷移を開始する、(2)リバースリンクトラフィックが存在することに呼応して、アクティブホールド状態からトラフィック状態への遷移を開始する、(3)フォワードリンクトラフィックおよびリバースリンクトラフィックが少なくとも第２の所定の時間期間存在しないことに呼応して、アクティブホールド状態からドーマント状態への遷移を開始する、(4)リバースリンクトラフィックが存在することに呼応して、ドーマント状態からトラフィック状態への推移を開始する、(5)アクティブホールド状態への遷移に入った後、フォワードリンクトラフィックが存在しかつ同時にリバースリンクトラフィックが存在しない期間、アクティブホールド状態を維持する、そして、(6)送信機の少なくとも1つのコンポーネントの負荷サイクルをアクティブホールド状態で２５％未満にするように、アクティブホールド状態で送信機の少なくとも1つのコンポーネントの電力をオフする。
【００１３】
一実施例では、無線ネットワークの無線基地局と通信するための無線アクセスターミナルは、無線基地局からフォワードリンク送信を受け取るための手段(例えば、１つの受信機あるいは受信機チェーン)、無線基地局へリバースリンク送信を送るための手段(例えば、１つの送信機あるいは送信機チェーン)、プログラムコードを格納するための手段(例えばメモリデバイス)、および、無線アクセスターミナルにいくつかのステップを実行させるようにプログラムコードを実行するためのコントローラ手段(例えば、プロセッサ）を含む。ステップは次のものを含む。(1)リバースリンクトラフィックが第１の所定の時間期間存在しないことに呼応して、トラフィック状態からアクティブホールド状態への遷移を開始する、(2)リバースリンクトラフィックが存在することに呼応して、アクティブホールド状態からトラフィック状態への遷移を開始する、(3)フォワードリンクトラフィックおよびリバースリンクトラフィックが少なくとも第２の所定の時間期間存在しないことに呼応して、アクティブホールド状態からドーマント状態への遷移を開始する、(4)リバースリンクトラフィックが存在することに呼応して、ドーマント状態からトラフィック状態への推移を開始する、(5)アクティブホールド状態への遷移に入った後、フォワードリンクトラフィックが存在しかつ同時にリバースリンクトラフィックが存在しない期間、アクティブホールド状態を維持する、そして(6)送信機の少なくとも1つのコンポーネントの負荷サイクルをアクティブホールド状態で２５％未満にするように、送信機の少なくとも1つのコンポーネントの電力をオフする。
【００１４】
一実施例では、無線ネットワークの無線基地局と通信する無線アクセスターミナルを操作するための方法が提供される。方法は次のステップを含む。(1)無線アクセスターミナルと無線基地局との間のリバースリンクトラフィックが第１の所定の時間期間存在しないことに呼応して、トラフィック状態からアクティブホールド状態への遷移を開始するステップ、(2)無線アクセスターミナルと無線基地局との間のリバースリンクトラフィックが存在することに呼応して、アクティブホールド状態からトラフィック状態への遷移を開始するステップ、(3)無線アクセスターミナルと無線基地局との間のフォワードリンクトラフィックおよびリバースリンクトラフィックが少なくとも第２の所定の時間期間存在しないことに呼応して、アクティブホールド状態からドーマント状態への遷移を開始するステップ、(4)無線アクセスターミナルと無線基地局との間のリバースリンクトラフィックが存在することに呼応して、ドーマント状態からトラフィック状態への推移を開始するステップ、(5)アクティブホールド状態への遷移に入った後、無線アクセスターミナルと無線基地局との間のフォワードリンクトラフィックが存在しかつ同時にリバースリンクトラフィックが存在しない期間、無線アクセスターミナルをアクティブホールド状態に維持するステップ、そして(6)無線アクセスターミナルの送信チェーンの少なくとも1つのコンポーネントの負荷サイクルをアクティブホールド状態で２５％未満にするように、アクティブホールド状態で無線アクセスターミナルの送信チェーンの少なくとも1つのコンポーネントの電力をオフするステップ。
【００１５】
一実施例では、フォワードリンクおよびリバースリンクによって無線ネットワークの無線基地局と通信するために無線アクセスターミナルを操作する方法が提供される。この方法は次のステップを含む。(1)無線アクセスターミナルと無線基地局との間のフォワードリンクおよびリバースリンクのトラフィックのインアクティビティ期間(a period of traffic inactivity)に呼応して、無線アクセスターミナルをドーマント状態に入れるステップ、(2)リバースリンクのトラフィックアクティビティ(traffic activity)に呼応して、無線アクセスターミナルをトラフィック状態に入れるステップ、および(3)リバースリンクのトラフィックの不活性期間に呼応して、無線アクセスターミナルをアクティブホールド状態に入れるステップ。この方法では、無線アクセスターミナルをアクティブホールド状態に入れるステップは、フォワードリンクのトラフィックアクティビティには関係なく行われ、無線アクセスターミナルは、アクティブホールド状態で、少なくとも送信チェーンの電力を25パーセント未満の負荷サイクルでオン・オフする。
【００１６】
一実施例では、無線ネットワークにおける無線基地局が提供される。この無線基地局は、リバースリンク上で無線アクセスターミナルからデータを受信するように構成された受信機、フォワードリンク上で無線アクセスターミナルへデータを送信するように構成された送信機、および、受信機と送信機に結合されたプロセッサを含む。プロセッサは、無線基地局に次のステップを含むステップを実行させるように構成される。(1)無線アクセスターミナルからのアクティブホールド状態に入るための要求を許可するステップ、ここで、無線アクセスターミナルは、リバースリンクのトラフィックのインアクティビティ期間に呼応して該要求を発生し、また、無線アクセスターミナルは、アクティブホールド状態でのフォワードリンク用のフィードバック更新頻度をトラフィック状態に比べて減少する、(2)無線アクセスターミナルがアクティブホールド状態にいる間、フォワードリンクトラフィックを送信するステップ、および、(3)トラフィック状態の間、リバースリンクトラフィックを受信するステップ。
【００１７】
一実施例では、無線ネットワークにおける無線基地局は次のコンポーネントを含む。リバースリンク上で無線アクセスターミナルからデータを受け取るための手段、フォワードリンク上で無線アクセスターミナルにデータを送信するための手段、および、処理のためのコントロール手段。コントロール手段は、受信機および送信機と結合され、また、無線基地局に次のステップを実行させるように構成される。(1)無線アクセスターミナルからのアクティブホールド状態に入るための要求を許可するステップ（ここで、無線アクセスターミナルは、リバースリンクのトラフィックのインアクティビティ期間に呼応して該要求を発生し、また、無線アクセスターミナルは、アクティブホールド状態でのフォワードリンク用のフィードバック更新頻度をトラフィック状態に比べて減少する。）、(2)無線アクセスターミナルがアクティブホールド状態にいる間、フォワードリンクトラフィックを送信するステップ。
【００１８】
一実施例では、無線アクセスターミナルをコントロールするために無線ネットワーク中の無線基地局を操作する方法が提供される。この方法は、(1)無線アクセスターミナルからのアクティブホールド状態に入るための要求を許可すること、（ここで、無線アクセスターミナルは、無線アクセスターミナルと無線基地局との間のリバースリンクのトラフィックインアクティビティ期間に呼応して該要求を発生し、また、無線アクセスターミナルは、アクティブホールド状態で無線アクセスターミナルと無線基地局との間のフォワードリンク用のフィードバックを第１の頻度で供給し、また、無線アクセスターミナルは、トラフィック状態でフォワードリンク用のフィードバックを第１の頻度よりも大きい第２の頻度で供給する。）および、(2)無線アクセスターミナルがアクティブホールド状態にいる間、フォワードリンク上でトラフィックを送信すること。
【００１９】
一実施例では、機械可読媒体は、そこに埋め込まれた命令を含む。命令が無線ネットワークの無線基地局の少なくとも1つのプロセッサによって実行されるとき、命令は無線基地局に次の動作を実行させる。(1)無線アクセスターミナルからのアクティブホールド状態に入るための要求を許可する動作（ここで、無線アクセスターミナルは、無線アクセスターミナルと無線基地局との間のリバースリンクのトラフィックインアクティビティ期間に呼応して該要求を発生し、また、無線アクセスターミナルは、アクティブホールド状態で無線アクセスターミナルと無線基地局との間のフォワードリンク用のフィードバックを第１の頻度で供給し、 また、無線アクセスターミナルは、トラフィック状態でフォワードリンク用のフィードバックを第１の頻度よりも大きい第２の頻度で供給する。）および、(2)無線アクセスターミナルがアクティブホールド状態にいる間、フォワードリンク上でトラフィックを送信する動作。
【００２０】
本発明のこれらの、また、その他の実施例や態様は、以下の記述、図面および請求項と関連して一層よく理解されるであろう。
【詳細な説明】
【００２１】
このドキュメントにおいて、「実施例」、「変形」およびそれに類似する表現は、必ずしも同じ装置、プロセスあるいは製造品にではなく、特定の装置、プロセスあるいは製造品を指すために使用される。したがって、1つの場所あるいはコンテキストの中で使用される「1つの実施例」(あるいは類似の表現)は、特定の装置、プロセスあるいは製造品を指すことができ、 異なる場所の同じあるいは類似の表現は、異なる装置、プロセスあるいは製造品を指すことができる。表現「他の実施例」および類似の句は、可能な多くの異なる実施例のうちの1つを示すために使用される。 可能な実施例の数は、必ずしも2つあるいは任意の他の数に制限されない。
【００２２】
「典型的である」という語は、ここでは「例、事例あるいは実例として役立つ」ことを意味するために使用される。 ここで「典型的に」として記述された任意の実施例や変形例は、必ずしも他の実施例あるいは変形例よりも好ましい、あるいは有利であるように解釈されるものではない。 ここで記述された実施例および変形例はすべて、当業者が本発明を実施することを可能にするための典型的な実施例および変形例であり、請求項とその均等物で定義されるところの、本発明に与えられる法的保護の範囲を制限するものではない。語「トラフィック」は、一般に、エアーインターフェース制御情報およびパイロット以外の、データのようなペイロードあるいはユーザトラフィックを指す。
【００２３】
AT、加入者局装置、ユーザー機器、UE、モバイル端末あるいはMTとも呼ばれるアクセスターミナルは、モバイルであっても固定であってもよく、１つ以上のトランシーバ基地局と通信する。アクセスターミナルは、PCカード、外部もしくは内蔵モデム、無線電話および無線通信能力を備えた携帯情報端末(PDA)などの多くのタイプのデバイスであり得るが、これらに限定されない。アクセスターミナルは、1つ以上のトランシーバ基地局を介してデータパケットを無線ネットワークコントローラに送信し、また無線ネットワークコントローラから受信する。
【００２４】
トランシーバ基地局と基地局制御装置(base station controller)は、無線ネットワーク、RN、アクセスネットワークあるいはANと呼ばれるネットワークの一部である。無線ネットワークは、UTRANあるいはUMTSテレストリアル無線アクセスネットワークであってよい。無線ネットワークは、複数のアクセスターミナル間でデータパケットを伝送する。無線ネットワークは、さらに、企業イントラネット、インターネット、従来の公衆交換電話網(PSTN)あるいはその他の無線ネットワークのような無線ネットワークの外側の追加のネットワークと結合されて、各アクセスターミナルとそのような外部ネットワークとの間でデータと音声のパケットの伝送が行われてもよい。協定と特定のインプリメンテーションや変形に依存して、トランシーバ基地局は、ノードB、基地局システム(BSS)あるいは単に基地局のような他の名前によっても引用される。同様に、基地局制御装置は、無線ネットワークコントローラ、RNC、コントローラ、移動交換局あるいはサービングGPRSサポートノードのような他の名前によっても引用される。
【００２５】
本発明の範囲は、これらの、および類似の、無線通信システムコンポーネントにまで及ぶ。
【００２６】
図1は、通信ネットワーク100の選択されたコンポーネントを示し、それは、無線基地局(BTS)120A、120Bおよび120Cと結合された無線ネットワークコントローラ110を含む。無線基地局120は、対応する無線接続140A乃至140Eによってアクセスターミナル130A、130B、130Cおよび130Dと通信する。無線接続140の各々は、フォワードリンク(ダウンリンクとして知られているBTSからATへのリンク)およびリバースリンク(アップリンクとして知られているATからBTSへのリンク)の両方を表わす。無線ネットワークコントローラ110は、電話スイッチ160を介して公衆交換電話網(PSTN)150に結合され、また、パケットデータサーバノード(PDSN)180を介してパケット交換網170に結合される。無線ネットワークコントローラ110およびパケットデータサーバノード180のような様々なネットワークエレメント間でのデータ交換は、例えば、インターネットプロトコル(IP)、非同期転送モード(ATM)プロトコル、T1、E1、フレームリレーなどの任意の数のプロトコル、あるいはその他のプロトコルを使用してインプリメントすることができる。
【００２７】
無線ネットワークコントローラ110および無線基地局120は、1xEV-DOネットワークのようなデータ最適化無線ネットワークの一部であり得る。図示した実施例では、無線ネットワークはアクセスターミナル130にデータ通信サービスと携帯電話サービスの両方を提供する。他の実施例では、無線ネットワークはデータサービス(VoIPおよび類似のパケット化されたデータベースの音声通信を含めて)のみ、あるいは音声サービスのみを提供する。
【００２８】
複数、あるいは全てのアクセスターミナル130は同じセルあるいはサイトに存在してもよく、あるいは、アクセスターミナル130はそれぞれが個別のセルあるいはサイトに存在してもよい。
【００２９】
典型的なアクセスターミナル、例えば、アクセスターミナル130A、は受信機回路類131、送信機回路類132、符号器133、復号器134、イコライザ135、プロセッサ136およびメモリデバイス137を含む。受信機、送信機、符号器、復号器およびイコライザは、メモリデバイスに格納されたプログラムコードを実行するプロセッサによって構成される。アクセスターミナル130の各々は、上で列挙された無線パケット伝送プロトコルのような、少なくとも1つの伝送プロトコルを使用して、データを通信するように構成される。図1に示されるように、アクセスターミナル130は通信チャンネル140A乃至140Eを介して無線基地局120と通信する。
【００３０】
無線基地局120の各々は、1つ以上の無線受信機(例えば、BTS 120Aの受信機121)、1つ以上の無線送信機(例えば、BTS 120Aの送信機122)、無線ネットワークコントローラインターフェース(例えば、インターフェース123)、メモリ(例えば、メモリ124)、プロセッサ(例えば、プロセッサ125)、および、符号器／復号器回路(例えば符号器／復号器回路126)を含む。各無線基地局の受信機／送信機ペアおよびその他のコンポーネントは、基地局のメモリに格納されたプログラムコードの制御の下で動作する基地局プロセッサによって構成され、アクセスターミナル130にパケットを送信し、また、アクセスターミナル130からパケットを受信するために、フォワードリンクおよびリバースリンクを確立する。例えば、データサービスの場合は、無線基地局120は、パケットデータサーバノード180および無線ネットワークコントローラ110を介してパケット交換網170からフォワードリンクデータパケットを受け取り、これらのパケットをアクセスターミナル130に送信する。無線基地局120は、アクセスターミナル130で発生するリバースリンクデータパケットを受信し、これらのパケットを無線ネットワークコントローラ110およびパケットデータサーバノード180を介してパケット交換網170に転送する。電話(音声)サービスの場合は、無線基地局120は、電話スイッチ160および無線ネットワークコントローラ110を介して公衆交換電話網150からフォワードリンクデータパケットを受け取り、これらのパケットをアクセスターミナル130に転送する。アクセスターミナル130で発生する音声パケットは無線基地局120で受け取られ、無線ネットワークコントローラ110および電話スイッチ160を介して公衆交換電話網へ転送される。
【００３１】
いくつかの他の実施例では、各BTSの送信機、受信機およびその他のコンポーネントは、それぞれが個別にプロセッサを持ってもよい。
【００３２】
無線ネットワークコントローラ110は、無線基地局120への１つ以上のインターフェース111、パケットデータサーバノード180へのインターフェース112、および、電話スイッチ160へのインターフェース113を含む。インターフェース111、112および113は、1つ以上のメモリデバイス115に格納されたプログラムコードを実行する1つ以上のプロセッサ114の制御の下で動作する。
【００３３】
図1に示されたネットワーク100は、1つの公衆交換電話網、1つのパケット交換網、1つの基地局制御装置、3つの無線基地局および4つのアクセスターミナルを含む。当業者は、このドキュメントの熟読の後に、本発明の態様に従う代替実施例がこれらのコンポーネントの数に限定される必要のないことを認識するであろう。例えば、いくつかの実施例においては、より少ない、あるいは、より多くの無線基地局およびアクセスターミナルが含まれ得る。さらに、通信ネットワーク100は、アクセスターミナル130を1つ以上の追加の通信ネットワーク、例えば、多くの無線アクセスターミナルを有する第２の無線通信ネットワーク、に接続してもよい。
【００３４】
既に言及されたように、通信のために構成された既知のアクセスターミナルは、そのような既知のアクセスターミナルと無線ネットワークとの間のネットワークトラフィック状態に依存して、ドーマント状態かトラフィック状態にある。トラフィック状態は、無線ネットワークとモバイル端末の間のトラフィックアクティビティに対応する。例えば、アクセスターミナルは音声呼あるいはデータ通信に応じてドーマントからトラフィック状態へ遷移する。音声呼あるいはデータ通信は、アクセスターミナルに入ってくるものか、あるいは、アクセスターミナルから出ていくものである。反対に、トラフィックアクティビティがある所定の期間、停止すると、アクセスターミナルはトラフィック状態からドーマント状態に遷移する。典型的には、無線ネットワークは、その２つの状態間の遷移を制御する。
【００３５】
トラフィックアクティビティは無線ネットワークとアクセスターミナルとの間で全く非対称である。言い換えれば、一方向で、反対方向よりも相当多くのトラフィックが通信される。これは、特に、ダウンリンクトラフィックフローが大きなマージンによってアップリンクトラフィックフローを典型的に超過するようなデータ通信においてはそうである。例えば、アクセスターミナルのユーザーは、アップリンクで主として制御情報を通信し、それによって比較的長い時間、大きなファイルをダウンロードする。制御情報は、例えば、インターネットプロトコル(IP)肯定応答、電力制御、レート制御、物理エアーリンクのパイロットなど、様々な層からのものである。同様に、VoIP会話(VoIP conversation)は、アクセスターミナルのユーザーがほとんど聞いている状態、つまり、ラインを長時間保持するという、一方的なものである。そのような時間期間中、アクセスターミナルから無線ネットワークへユーザー(ペイロード)データを伝送する必要はないけれども、アクセスターミナルのアップリンク資源は電源オンの状態が継続され、その結果、電力を消費する。
【００３６】
一実施例では、アクセスターミナル130(例えば、アクセスターミナル130A)は、無線ネットワークの無線基地局(例えば、BTS 120A)と通信する。無線ネットワークは、例えば、1xEV-DOネットワーク、データオンリーネットワークあるいはボイスオンリーネットワークのようなデータ最適化無線ネットワーク(data-optimized radio network )である。アクセスターミナルは、無線ネットワークに接続されている間、次の３つの状態のうちの1つにあるように構成される。(1)トラフィック状態、(2)ドーマント状態、および(3)アクティブホールド(AH)状態。最初の２つの状態は、それぞれ、アクセスターミナルの従来のトラフィックおよびドーマント状態と類似もしくは同一である。アクティブホールド状態は、ドーマント状態とトラフィック状態の間の中間遷移状態である。この状態は、特にアクセスターミナルのフォワードリンクのトラフィックアクティビティと同時に起こっているリバースリンクのトラフィックインアクティビティが長時間に及ぶ場合、アクセスターミナルの電力消費の一層の削減を可能とする。
【００３７】
アクティブホールド状態では、あるエアーリンク資源はアクセスターミナルによって低い負荷サイクルで使用される。例えば、チャンネルエレメント、フィンガー資源およびその他の送信チェーンコンポーネントは、アクセスターミナルのリバースリンク側では、相当の時間割合で電力が低下（オフ）される。例えば、送信チェーンの負荷サイクルは、50パーセント未満、25パーセント未満あるいは5パーセント未満であり得る。いくつかの変形では、アクセスネットワーク(例えばBTS)は、アクティブホールド状態中は、アクセスターミナルのサービスからチャンネルエレメントおよびフィンガー資源の割振り、割り当てを解除せず、また電源をオフしない。さらに、いくつかの変形では、無線ネットワークは、この状態ではアクセスターミナルからのいかなる資源の割振りも解除しない。
【００３８】
図2は、トラフィック状態210、ドーマント状態220およびアクティブホールド状態230の間の遷移を示す状態遷移図である。トラフィック状態210では、アクセスターミナル130はアクティブに無線基地局120と通信している。トラフィック状態210からアクティブホールド状態230への遷移213は、ある短時間のトラフィックインアクティビティに応じて起こる。(トラフィック、ドーマントおよびアクティブホールド状態の間の遷移を引き起こし、もしくは開始するアクティビティおよびインアクティビティへの言及は、それぞれ、ペイロードトラフィックアクティビティ、あるいはインアクティビティへの言及であることに注意。）遷移213は、リバースリンクの一定期間のインアクティビティの後、および／または、リバースリンクとフォワードリンク両方の一定期間のインアクティビティの後に起こる。いくつかの実施例では、遷移213は、リバースリンクAH(アクティブホールド)インアクティブタイマーの終了の後、あるいはリバースリンクAHインアクティブタイマーおよびフォワードリンクAHインアクティブタイマーの終了の後に開始される。(2つのタイマーは、同じか異なる時間期間の後に終了するよう設定される。)
アクセスターミナルと無線ネットワークとの間のトラフィックアクティビティが更新すると、アクティブホールド状態230からトラフィック状態210への遷移が開始される。例えば、リバースリンクトラフィックが遷移231を開始する。変形として、リバースリンクとフォワードリンクの両方（リバースリンク単独ではなく）で短時間のインアクティビティが発生したことによってアクセスターミナルがアクティブホールド状態に入った場合は、更新されたフォワードリンクアクティビティもまた、遷移231を開始する。
【００３９】
アクティブホールド状態230からドーマント状態220への遷移232は、アクティブホールド状態230にいる間の別のトラフィックインアクティビティ期間に応じて開始される。遷移232は、リバースリンクとフォワードリンクの両方での一定のインアクティビティ期間の後に起こる。いくつかの実施例では、遷移232はリバースリンクドーマントインアクティビティタイマーの終了後、およびフォワードリンクドーマントインアクティビティータイマーの終了後に開始される。遷移213の場合と同様、2つのタイマーは同じか異なる時間期間の後に終了するよう設定される。このように、遷移232は、リバースリンクとフォワードリンクの両方のインアクティビティの一定期間後に開始される。
【００４０】
ドーマント状態220からトラフィック状態210への遷移221は、リバースリンクトラフィックの存在に応じて開始される。いくつかの実施例では、遷移221はアクセスターミナルと無線基地局との間の任意のトラフィック(ペイロード)に応じて開始される。しかしながら、いくつかの実施例では、ドーマント状態220からアクティブホールド状態230までの遷移223がフォワードリンクトラフィックのみに応じて開始される。一方、遷移221の開始には常にリバースリンクトラフィックが現われる。
【００４１】
図2に示される異なる状態間の遷移は、アクセスターミナルによって、例えば、リバースレート指標(RRI)チャンネル上で他では使用されていない(スペアの)符号語(codeword)を送ることにより開始される。予備のRRI符号語の使用は、無線ネットワークで他の何かと間違われそうもないので、有利である。その後、無線ネットワーク(例えば、無線ネットワークコントローラ110)は、要求された遷移を許可するかどうかを決定する。許可は、フォワードリンクコントロールチャンネルの1つ、例えば、肯定応答(ACK)チャンネル上でアクセスターミナルに送られる。事実、RRIに応答するACKは、無線ネットワークがアクセスターミナルをアクティブホールド状態に遷移したことを示す。代替的に、あるいは追加的に、無線ネットワークは、アクセスターミナルに適切な制御メッセージを送ることにより、遷移のうちのいくつかを開始してもよい。特定の変形では、遷移は次のように開始される。
【００４２】
トラフィック状態210からアクティブホールド状態230への遷移213については、 特定のRRI符号語を使用したRRIチャンネルを介してアクセスターミナルによって開始され、ACKチャンネルを介してアクセスネットワークによって許可される。
【００４３】
アクティブホールド状態230からドーマント状態220への遷移232 については、リバースおよびフォワードリンクトラフィックの両方が所定の期間（少なくとも２秒）インアクティブを継続した後、アクセスターミナルもしくは無線ネットワークのいずれかによって開始される。
【００４４】
アクティブホールド状態230からトラフィック状態210への遷移231については、リバースリンクパケットによりアクセスターミナルによって開始され、無線ネットワークによって許可される。特定のRRI符号語は、アクティブホールド状態に遷移するために使用され(アクセスターミナルは、それがアクティブホールド状態に入ることを試みていることを無線ネットワークに示すためにこれを使用してもよい)、また、特定のRRI符号語に応答するACKチャンネルは、アクセスターミナルが現在アクティブホールド状態にいることをアクセスターミナルに知らせる無線ネットワークである。
【００４５】
ACKチャンネルメッセージは現存システムと同じのままであるが、アクセスターミナルがアクティブホールド状態にある場合は、これらのメッセージの解釈が変わることに注意すべきである。例えば、アクティブホールド状態でのアクセスターミナルがリバースリンクパケットを送る場合、無線ネットワークによるACKチャンネル上でのパケットの肯定応答は、また、アクセスターミナルをアクティブホールド状態からトラフィック状態にもっていく役目をする。
【００４６】
さて、アクティブホールド状態(例えば、状態230)におけるオペレーションに目を向けよう。既に議論されたように、いくつかの変形では、アクセスターミナル(例えば、ターミナル130A)は、フォワードリンクペイロードトラフィックを受信している間は、この状態にいることができる。これらの変形では、アクセスターミナルは、送信チェーンエレメントの電力をほとんどの時間落とし、ダウンリンクフィードバック情報を提供するときに送信チェーンの電力を再度オンすることができる。アクティブホールド状態の間に電源が入れられている送信チェーンの低い負荷サイクルのために、トラフィック状態と比較して著しい電力節約が達成される。いくつかの特定の変形では、アクセスターミナルは、およそ75ヘルツの更新率(update rate)に相当する８スロットごとにー度、フィードバック(例えば、電力制御、データレート制御、リバースリンクパイロット、データソース制御)を無線ネットワークに供給するために、その送信チェーンの電力をオンする。また他の特定の変形では、アクセスターミナルは、およそ37.5ヘルツの更新率に相当する16スロットごとに一度、その送信チェーンの電力をオンする。これらの更新率は、トラフィック状態で使用される150ヘルツの更新率(1xEV-DO改訂Bでは4スロットごとに一度）より、それぞれ、2倍および４倍遅い。本発明が特定の更新率、あるいはアクティブホールド状態およびトラフィック状態の更新率間の特定の比率に制限されるものではないことに注意すべきである。
【００４７】
より遅い速さでフィードバック情報を提供することは、特に速く変化する物理的伝搬路を備えた動的環境においては、アクセスターミナルと無線ネットワークとの間の通信のロバスト性を低下させる。例えば、アクセスターミナルと無線基地局との間の物理的伝搬路は、無線ネットワークがアクセスターミナルの電力制御設定ポイント(power control set point)を増加させることによって補正することができるよりも、より速く落ち込む(フェードする)。この潜在的な問題を打ち消すために、いくつかの変形では、無線ネットワークは、アクティブホールド状態において、アクセスターミナルの電力制御設定ポイントを同じ信号対雑音および干渉比(SINR)を持つトラフィック状態での電力制御設定ポイントに比べて、増加させる。いくつかの特定の変形では、電力制御設定ポイントは、およそ1dB、2dB、3dBあるいは4dB増加される。電力制御設定ポイントの増加および更新率の減少は、互いに依存し、また可変である。例えば、電力制御設定ポイントは、更新率が半分にされる(トラフィック状態における対応する率に比べて)ごとに、2dB(同じSINRが与えられたトラフィック状態での対応するセットポイントよりも）増加される。さらに、いくつかの変形では、無線ネットワークは、セットポイントを単にある電力リミットまで増加させる。電力リミットは、それを超えて増加させるとアクセスターミナルの電力消費に影響が出始めるであろうものである。多くのアクセスターミナルでは、実際の送信電力にかかわらず、送信電力が電力リミットに達するまでは、全消費電力は本質的に同じ(例えば、0.1mW以内)である。したがって、送信電力が前述の電力リミットを超過しない限り、電力制御設定ポイントを増加させても、電力消費の観点からペナルティーはほとんどない。電力リミットは、およそ0dBm、5dBmあるいは10dBmである。これらはもちろん典型的な値であり、実際の電力リミットは異なってもよい。
【００４８】
図3は、アクティブホールド状態における、ある変形例の動作の単純化した概観である。
【００４９】
図4は、アクティブホールド状態でアクセスターミナルによって実行される典型的なプロセス400を示す。フローポイント401では、アクセスターミナルは、リバースリンクの所定期間のインアクティビティ(その期間はアクセスターミナルから、アクセスターミナルをサービスしている無線基地局にペイロードデータは送信されていなかった)によって、アクティブホールド状態に入っている。ステップ405では、アクセスターミナルは、無線基地局にフィードバックの更新を供給する頻度を減少させる。無線基地局は、同時に、アクセスターミナルの電力制御設定ポイントを増加させる。
【００５０】
判定ブロック410で、アクセスターミナルは、トラフィック(ペイロード)アクティビティがリバースリンク上で更新したかどうかを決定する。リバースリンク上でのトラフィックアクティビティの更新があれば、ステップ415でトラフィック状態への遷移が開始され、プロセス400はフローポイント499で終了する。
【００５１】
リバースリンク上に更新されたトラフィックアクティビティがない場合、処理フローは判定ブロック420へと続き、アクセスターミナルは、最後のトラフィック以降の経過時間があるリミットよりも大きいかどうかを決定する。このリミットは予め決定される。無線基地局がフォワードリンクトラフィックを送信し続ける場合のように、経過時間がリミットを越えない場合は、処理フローは判定ブロック410に返る。
【００５２】
経過時間がリミットを越える場合、ステップ425でドーマント状態への遷移が開始され、プロセス400はフローポイント499で終了する。
【００５３】
様々な方法のステップおよび決定はこの開示では連続的に記述されたが、これらのステップと決定のうちのいくつかは、個別の要素によって連続的に、あるいは並行して、あるいは非同期的に、あるいは同期して、あるいはパイプライン式に、あるいはその他の方法で実行されてもよい。明示的にそう表示された場合、あるいはコンテキストからそれが明らかな場合、あるいは本質的にそれが要求される場合を除いて、この記述がリストしたステップと同一のステップが実行されなければならないという特別の要求はない。（しかしながら、選択された変形例では、ステップおよび決定は上に記述された順序で実行されることに注意。）更に、本発明によるすべての実施例／変形例において、図示され、あるいは記述されたすべてのステップおよび決定が必要とされるものではない。また一方、特に示されず、記述されなかったいくつかのステップおよび決定が、本発明に従って、いくつかの実施例／変形例において望ましく、もしくは必要かもしれない。
【００５４】
当業者は、また、情報と信号は様々な異なる技術・技法を使用して表現されることも理解するであろう。例えば、上の記述の全体にわたって引用されたデータ、命令、コマンド、情報、信号、ビット、シンボルおよびチップは、電圧、電流、電磁波、磁界または磁粒子、光界または光粒子、あるいはそれの任意の組合せによって表わされてもよい。
【００５５】
当業者は、さらに、ここに示された実施例に関して記述された様々の例示的な論理ブロック、モジュール、回路、およびアルゴリズム・ステップは、電子ハードウェア、コンピューターソフトウェアあるいはそれらの組合せとしてインプリメントされてもよいことを認識するであろう。このハードウェアおよびソフトウェアの互換性を明白に示すために、様々な例示のコンポーネント、ブロック、モジュール、回路およびステップは、ここでは一般に、それらの機能性の点から記述された。そのような機能性がハードウェア、ソフトウェア、あるいはハードウェアとソフトウェアの組合せとしてインプリメントされるかどうかは、特定の用途とシステム全体に課された設計制約に依存する。熟練した職人は、各特定の用途のために、記述された機能や方法を変えてインプリメントすることができるが、そのようなインプリメンテーションの決定は本発明の範囲からの逸脱を引き起こすと解釈されるべきではない。
【００５６】
ここに開示された実施例に関係して記述された様々な例示の論理ブロック、モジュールおよび回路は、ここに記述された機能を行なうようデザインされた汎用プロセッサ、デジタル信号プロセッサ(DSP)、特定用途向けIC(ASIC)、フィールドプログラマブルゲートアレイ(FPGA)あるいはその他のプログラマブル論理デバイス、ディスクリートゲート、トランジスターロジック、ディスクリートのハードウェア部品、あるいはそれらの任意の組合せによってインプリメントもしくは実行することができる。汎用プロセッサはマイクロプロセッサであってよいが、代替として、プロセッサは任意の従来のプロセッサ、コントローラ、マイクロコントローラあるいはステートマシンであってもよい。プロセッサも、計算装置の組合せ、例えば、１つのDSPと１つのマイクロプロセッサの組合せ、複数のマイクロプロセッサ、１つのDSPコアと協働する１つ以上のマイクロプロセッサ、あるいは他のそのような構成、としてインプリメントすることができる。
【００５７】
ここで開示された実施例に関係して記述された方法あるいはアルゴリズムのステップは、ハードウェア、プロセッサによって実行されるソフトウェアモジュール、あるいはそれら2つの組合せにおいて、直接、具体化することができる。ソフトウェアモジュールは、RAMメモリ、フラッシュメモリ、ROMメモリ、EPROMメモリ、EEPROMメモリ、レジスタ、ハードディスク、リムーバブルディスク、CD-ROM、あるいはこの技術分野で知られている他の任意の形式の記憶媒体に存在することができる。典型的な記憶媒体はプロセッサと結合され、プロセッサが記憶媒体から情報を読むことができ、また記憶媒体に情報を書き込むことができる。あるいは、記憶媒体はプロセッサと一体的であってもよい。プロセッサと記憶媒体ASICに存在してもよい。ASICはアクセスターミナルに存在してもよい。あるいは、プロセッサと記憶媒体はアクセスターミナル中のディスクリート部品として存在してもよい。
【００５８】
開示された実施例の以上の記述は、すべての当業者が本発明を生産し、使用することを可能にするために提供される。これらの実施例への様々な変更は当業者にとって容易に明白であり、ここに定義された総括的な本質は、本発明の趣旨あるいは範囲を外れることなく、他の実施例に適用することができる。したがって、本発明は、ここに開示された実施例に限定されるべきとは意図されず、ここに開示された本質および新規な特徴と一致する最も広い範囲が与えられるべきものである。
【図面の簡単な説明】
【００５９】
【図１】図1は、本発明の実施例に従って構成されたセルラー通信システムの選択されたコンポーネントを示す図。
【図２】図2は、図1のネットワークにおいて作動し、本発明の実施例に従って構成されたアクセスターミナルの選択された状態および遷移を示す図。
【図３】図3は、本発明の実施例に従って、アクティブホールド状態におけるアクセスターミナルの動作の単純化した概観図。
【図４】図4は、本発明の実施例に従って、アクティブホールド状態においてアクセスターミナルによって実行されるプロセスの、選択されたステップおよび判定ブロックを示す。
【図１】
2009528003.tif 000003
【図２】
2009528003.tif 000004
【図３】
2009528003.tif 000005
【図４】
2009528003.tif 000006
【国際調査報告】
2009528003.tif 000007
2009528003.tif 000008
2009528003.tif 000009